(57)【要約】      （修正有）【課題】紙製の状差しと横型日めくりカレンダーを一体化させた、壁面に掛けられるところを特徴とする横型日めくりカレンダー用状差しを提供する。【解決手段】紙製の折り曲げ貼り加工のしやすい部材で状差しを作り、横型日めくりカレンダーを下部の溝に差し込み割りピンを通して留める。横型日めくりカレンダー用状差しは、壁面に掛ける台紙の代わりになるので、台紙とのセット販売方法よりも梱包用外箱や運賃等の経済的負担がかなり削減できる。状差しの付加価値が加わり、状差し内に横型日めくりカレンダーを収納することでコンパクトなサイズとなり、小売販売の場合の売り場面積が小さくてすみ、購入者が持ち帰るにも便利である。【選択図】図７
0003147256.tif 000002
【実用新案登録請求の範囲】
【請求項１】
横型日めくりカレンダーと一体化する状差しを、再生紙を合紙したダンボール等の折り曲げ、抜き、貼り加工のしやすい部材を用いて作成する。その際、まず、部材の上部に壁面へ掛ける為の吊るし穴をあけ、部材を裏面に折り曲げて貼り合わせる。次に、状差しに横型日めくりカレンダーを留めるための下部の溝を部材をコの字型に折り曲げて貼り合わせて生み出し、さらに、両サイドを裏面に回して折り曲げ貼り合わせる。中身の横型日めくりカレンダーを溝に入れて、割りピンを通して裏面で留めることにより、中身の横型日めくりカレンダーと一体化できて壁面に掛けられるところを特徴とする横型日めくりカレンダー用状差し。
【考案の詳細な説明】
【技術分野】
【０００１】  本考案は、横型日めくりカレンダー用状差しに関するものである。
【背景技術】
【０００２】  従来、多くの横型日めくりカレンダーは、ボール紙に取り付け穴があいた台紙とセットされて販売されてきた。それは、台紙に名入れをして、その下部に横型日めくりカレンダーをリングや鋲で取り付けて壁面に掛けるという販売方法が主流であった為である。台紙とのセットの販売は、袋入れの加工には平面の台紙と厚みのある横型日めくりカレンダーが体積を増し梱包用外箱に多く入らない。そのために運賃がかさんでしまう。セットをしなくても形状が違うので梱包しにくい。また、名入を必要としない小売用の横型日めくりカレンダーもこの従来の名入れ用の台紙とのセット販売が踏襲されてきた。
【考案の開示】
【考案が解決しようとする課題】
【０００３】  台紙とのセットの販売方法は梱包用外箱や運賃等の経済的負担も大きく、また、インテリアとしての美的要素が欠けている。従って、横型日めくりカレンダーを掛ける台紙の機能に状差しの付加価値を付け、さらに再生紙の合紙する事等により、美しいインテリア小物となり、前述の欠点を解決しようとするものである。
【課題を解決するための手段】
【０００４】  本考案は、横型日めくりカレンダーと紙製の状差しが一体化するもので、販売時は状差し内部に横型日めくりカレンダーを収納する事でかさばらず、組立後には日常生活に便利な状差しの付加価値が付き郵便物等の保管ができる。
【考案の効果】
【０００５】  上述の様に、本考案の横型日めくりカレンダー用状差しは、壁面に掛ける台紙の代わりになるので、台紙とのセット販売方法よりも梱包用外箱や運賃等の経済的負担がかなり削減できる。状差しの付加価値が加わり、状差し内に横型日めくりカレンダーを収納することでコンパクトなサイズとなり、小売販売の場合の売り場面積が小さくてすみ、購入者が持ち帰えるにも便利である。
【考案を実施するための最良の形態】
【０００６】  上部には壁面のフック等にヒモで掛ける為に穴を２ヶ所あけ、裏面に折り曲げて貼り合わせることで強度を増やした。下部には、横型日めくりカレンダーを差し込む溝部分をコの字に貼り合わせてつくり、両サイドを裏面に折り曲げて貼り合わせる。状差し内部にコの字に折り曲げたボール紙を入れ、下部の溝に横型日めくりカレンダーを差し込み、割りピンを穴に通して裏面で開いて留め、ヒモを付けて出来上がり。
【実施例】
【０００７】  以下、添付図面に従って一実施例を説明する。図１は、上部の吊るし部分を裏面に折り貼り合わせる図面である。図２は、裏返して中央部分をコの字に折り貼り合わせる図面である。図３は、両サイドを裏面に折り曲げて貼り合わせる図面である。図４は、裏面から見た図面である。図５は、内部にコの字に折り曲げたボール紙を入れる図面である。図６は、状差しから横型日めくりカレンダーを引き出した図面である。図７は、横型日めくりカレンダーを下部の溝に差し込む図面である。図８は、付属の割りピンを状差しと横型日めくりカレンダーに通して裏面で開いて留める図面である。図９は、付属のヒモを付けて完成の図面である。図１０は、横型日めくりカレンダー用状差しの展開図である。図１１は、状差し内部に入れるボール紙の展開図である。
【産業上の利用可能性】
【０００８】  本考案は、横型日めくりカレンダーの小売市場分野は勿論、状差し付の付加価値に新規性があり、企業の広告宣伝物としても利用することができる。
【図面の簡単な説明】
【０００９】
【図１】上部を裏へ折り貼り合わせる図面である。
【図２】中央部分をコの字に折り貼り合わせる図面である。
【図３】両サイドを裏面に回り込むように折り曲げた図面である。
【図４】両サイドを裏面で貼り合わせた図面である。
【図５】状差し内部にボール紙を入れた図面である。
【図６】状差しから横型日めくりカレンダーを引き出した図面である。
【図７】横型日めくりカレンダーを溝に差し込む図面である。
【図８】割ピンで状差しに横型日めくりカレンダーを差し込んで留めた図面である
【図９】ヒモをつけて完成の図面である。
【図１０】横型日めくりカレンダー用状差しの展開図である。
【図１１】状差し内部に入れるボール紙の展開図である。
【符号の説明】
【００１０】１  上部吊るし部分
２  コの字折り曲げ貼り合わせ部分
３  両サイド裏面貼り合わせ部分
４  状差し内部コの字ボール紙部分
５  横型日めくりカレンダー
６  割りピン
７  ヒモ
【図１】
0003147256.tif 000003
【図２】
0003147256.tif 000004
【図３】
0003147256.tif 000005
【図４】
0003147256.tif 000006
【図５】
0003147256.tif 000007
【図６】
0003147256.tif 000008
【図７】
0003147256.tif 000009
【図８】
0003147256.tif 000010
【図９】
0003147256.tif 000011
【図１０】
0003147256.tif 000012
【図１１】
0003147256.tif 000013
【手続補正書】
【提出日】平成20年10月1日(2008.10.1)
【手続補正１】
【補正対象書類名】実用新案登録請求の範囲
【補正対象項目名】全文
【補正方法】変更
【補正の内容】
【実用新案登録請求の範囲】
【請求項１】
横型日めくりカレンダーと一体化する状差しの作成において、
（１）再生紙を合紙したダンボール等の折り曲げ、抜き、貼り加工のしやすい部材を用い、
（２）部材の上部に壁面へ掛ける為の吊るし穴をあけ、部材を裏面に折り曲げて貼り合わせて吊るし穴の強度を増やし、
（３）状差しに横型日めくりカレンダーを留めるための下部の溝を、部材をコの字型に折り曲げ、さらに貼り合わせて生み出し、
（４）両サイドを裏面に回して折り曲げ貼り合わせて状差しを完成させ、
（５）中身の横型日めくりカレンダーを下部の溝に入れて、割りピンを通して裏面で留め、
（６）中身の横型日めくりカレンダーと一体化できて壁面に掛けることができる、
以上からなる横型日めくりカレンダー用状差し。